(57)【要約】【課題】末端部分に貫通孔を有する渦巻き形状の蚊取り線香を載置して収容する蚊取り線香用容器において、点火した蚊取り線香が載置位置からずれないように保持可能な蚊取り線香用容器を提供する。【解決手段】蚊取り線香２を展開した状態で収容する蚊取り線香用容器１は、容器本体１、不燃性マット１１及び蓋体１２を備えている。容器本体１には、金属製の薄片を用いた爪部１００が立設されており、不燃性マット１１に載置された蚊取り線香２の貫通孔２０に爪部１００を挿通させることで、蚊取り線香２を保持する。【選択図】図１
2016077243.tif 000002
【特許請求の範囲】
【請求項１】
蚊取り線香を載置可能な載置部を備える蚊取り線香用容器であって、
前記載置部に載置された蚊取り線香を保持可能な爪部を有する
ことを特徴とする蚊取り線香用容器。
【請求項２】
貫通孔を有する蚊取り線香を載置可能な載置部を備える蚊取り線香用容器であって、
前記載置部に載置された蚊取り線香の貫通孔に挿通可能な爪部を有する
ことを特徴とする蚊取り線香用容器。
【請求項３】
請求項１又は請求項２に記載の蚊取り線香用容器であって、
前記載置部を有し、前記載置部の上方が開口された容器本体と、
前記容器本体の開口を閉じる蓋体と、
前記容器本体の外側側部に設けられた吊下用部材と
を備えることを特徴とする蚊取り線香用容器。
【発明の詳細な説明】
【技術分野】
【０００１】
本発明は、蚊取り線香を載置可能な蚊取り線香用容器に関する。
【背景技術】
【０００２】
例えば、屋外にて蚊取り線香を使用する際に、蚊取り線香を載置するための蚊取り線香用容器が用いられている。蚊取り線香を載置して使用する蚊取り線香用容器は、例えば特許文献１に開示されている。
【０００３】
特許文献１に開示されている蚊取り線香用容器では、金属製の側壁を有する皿状の容器本体と、容器本体の底部に敷設される不燃性マットとを備え、蚊取り線香を不燃性マットに載置して使用する。このような蚊取り線香用容器は、蚊取り線香の載置面が略水平になるように使用したり、載置面が略垂直となるように吊り下げて使用したりというように様々な方法で使用される。
【先行技術文献】
【特許文献】
【０００４】
【特許文献１】特開平１１−３１８３０８号公報
【発明の概要】
【発明が解決しようとする課題】
【０００５】
しかしながら、蚊取り線香用容器の載置面が垂直方向になるように吊り下げて使用する場合、蚊取り線香の位置がずれて金属製の側壁に接触し、さらに接触した状態で蚊取り線香の位置がずれるため、蚊取り線香の火が消える虞があるという問題がある。
【０００６】
本発明は斯かる事情に鑑みてなされたものであり、蚊取り線香を載置可能な載置部に、載置された蚊取り線香を保持可能な爪部を設けることにより、蚊取り線香のずれを防止し、利便性を向上させることが可能な蚊取り線香用容器の提供を目的とする。
【課題を解決するための手段】
【０００７】
上記課題を解決するために、本願記載の蚊取り線香用容器は、蚊取り線香を載置可能な載置部を備える蚊取り線香用容器であって、前記載置部に、載置された蚊取り線香を保持可能な爪部を有することを特徴とする。
【０００８】
本願記載の蚊取り線香用容器は、載置された蚊取り線香を爪部にて保持することが可能である。
【発明の効果】
【０００９】
本発明に係る蚊取り線香用容器は、載置された蚊取り線香を爪部により保持することができる。これにより、蚊取り線香の載置位置のずれを防止することが可能である等、優れた効果を奏する。
【図面の簡単な説明】
【００１０】
【図１】本願記載の蚊取り線香用容器を分解して示す概略斜視図である。
【図２】本願記載の蚊取り線香用容器が有する本体容器等の部材を示す概略図である。
【図３】本願記載の蚊取り線香用容器の使用形態を示す概略図である。
【発明を実施するための形態】
【００１１】
以下、本発明の実施形態について図面を参照しながら説明する。なお、以下の実施形態は、本発明を具現化した一例であって、本発明の技術的範囲を限定する性格のものではない。
【００１２】
図１は、本願記載の蚊取り線香用容器を分解して示す概略斜視図である。図２は、本願記載の蚊取り線香用容器が有する本体容器等の部材を示す概略図であり、図２（ａ）が平面図であり、図２（ｂ）がＡ−Ｂ方向の側断面図である。
【００１３】
本願記載の蚊取り線香用容器１は、蚊取り線香２を点火した状態で収容するための容器であり、容器本体１０、不燃性マット１１及び蓋体１２を備えている。本願記載の蚊取り線香用容器１に収容される蚊取り線香２は、平面視渦巻き状に形成されており、主として外側の端部が点火端となり、内側の端部には、線状に切り込みを入れた形状の貫通孔２０が穿設されている。
【００１４】
蚊取り線香用容器１の容器本体１０は、金属製の薄板を略有底円筒状に成形した容器であり、円筒の底面に相当する平面視円状の底部１０ａと、円筒の側面に相当する側部１０ｂとを有し、底部１０ａの上方が開口した形状に形成されている。また、側部１０ｂの先端は、内径が大きくなるように外側に向けて拡開された周縁部１０ｃとなっている。容器本体１０は、略二次元の渦巻き状に形成された蚊取り線香２を収容するため、底部１０ａの直径は、蚊取り線香２の直径より大きく、側部１０ｂの高さは蚊取り線香２の高さより大きく形成されており、全体として、底部１０ａの直径に比して側部１０ｂの高さが低い皿状に近い形状となっている。また、例示した蚊取り線香用容器１の容器本体１０は、底部１０ａに同心円状の凹凸が形成されている。
【００１５】
容器本体１０の底部１０ａの中心付近には、金属製の薄片を用いた爪部１００が立設されている。爪部１００は、蚊取り線香２の貫通孔２０に挿通可能な大きさに形成されており、底部１０ａに溶接されている。なお、爪部１００は、必ずしも底部１０ａに溶接する必要は無く、底部１０ａの一部を切り起こし、底部１０ａに対して略直角となるように立ち上げることで、爪部１００とする等、様々な成型方法で形成することが可能である。
【００１６】
容器本体１０は、側部１０ｂの外側に、一つの吊下用部材１０１と、二つの蓋止め用部材１０２とを備えている。吊下用部材１０１は、針金等の線状材を折り曲げ、その両端を容器本体１０の側部１０ｂの周方向に沿って設けられた挿通孔に挿入し、揺動自在とした脚部１０１ａに、金属片の先端を折り曲げて形成した係止片１０１ｂを取り付けて構成されている。そして、係止片１０１ｂを、適当な被係止体に係止することにより、容器本体１０は、被係止体に吊り下げた状態で使用することが可能となる。
【００１７】
二つの蓋止め用部材１０２は、容器本体１０の側部１０ｂの外側に１８０°の間隔で、即ち、底部１０ａの中心に対して相対する位置に取り付けられている。蓋止め用部材１０２は、針金等の線状材を折り曲げ、その両端を容器本体１０の側部１０ｂの周方向に沿って設けられた挿通孔に挿入して揺動自在とし、更に、蓋体１２を係止可能なように、中間部分を鉤状に折り曲げて形成されている。
【００１８】
不燃性マット１１は、ロックウール、ガラスウール等の不燃性無機材料にて形成された円板状のマットであり、中心付近には、切り込み１１０が設けられている。不燃性マット１１の直径は、容器本体１０の底部１０ａの内径と略等しく、容器本体１０内に嵌め込み、底部１０ａ上に敷設された状態で使用される。また、不燃性マット１１を底部１０ａ上に敷設した場合、爪部１００が、不燃性マット１１の切り込み１１０を貫通し、爪部１００の先端が不燃性マット１１の上方に突き出た状態となる。そして、不燃性マット１１は、容器本体１０の底部１０ａ上に敷設され、点火された蚊取り線香２を載置する載置部として機能する。
【００１９】
蓋体１２は、金属製の薄板を略有底円筒状に成形した、容器本体１０の開口を閉じるための蓋用部材であり、円筒の底面に相当する平面視円状の天部１２ａと、円筒の側面に相当する側部１２ｂとを有し、天部１２ａの下方が開口した形状に形成されている。また、側部１２ｂの先端は、外側に折り曲げられた縁部１２ｃとなっている。天部１２ａには、円状に開口された複数の通気口１２０，１２０，…が開設されている。なお、通気口１２０，１２０，…から容器本体１０内に、指等の生物の一部、その他異物が入らないように、天部１２ａの裏側に網材を裏打ちするようにしてもよい。また、蓋体１２の縁部１２ｃの外径は、容器本体１０の周縁部１０ｃの内径と略等しく、蓋体１２を容器本体１０に内嵌させることができる。
【００２０】
図３は、本願記載の蚊取り線香用容器１の使用形態を示す概略図であり、図３（ａ）が平面図であり、図３（ｂ）がＣ−Ｄ方向の側断面図である。図３は、蚊取り線香用容器１の使用形態の一例として、蚊取り線香用容器１内に蚊取り線香２を載置し、蓋体１２により閉じた状態を示している。なお、内部を把握しやすくするため、蓋体１２については仮想線にて示している。
【００２１】
蚊取り線香用容器１を使用する場合、使用者は、蚊取り線香２を不燃性マット１１上に載置する。載置に際し、使用者は、蚊取り線香２の貫通孔２０に、不燃性マット１１の切り込み１１０から突出している爪部１００を挿通し、載置位置がずれないように蚊取り線香２を保持させる。そして、使用者は、蚊取り線香２に点火する。なお、安全を確保した状態であれば、蚊取り線香２に点火してから、蚊取り線香２を不燃性マット１１上に載置するようにしても良い。さらに、使用者は、蓋体１２を容器本体１０に内嵌させることにより、容器本体１０の開口を蓋体１２にて閉じ、蓋止め用部材１０２にて蓋体１２の縁部１２ｃを固定する。
【００２２】
このようにして、蚊取り線香２を収容した蚊取り線香用容器１は、例えば、容器本体１０を適当な載置体に載置した状態で、また、係止片１０１ｂを用いて吊り下げた状態で使用される。蚊取り線香用容器１を吊り下げて使用する場合、蚊取り線香２を載置する載置部（不燃性マット１１）の載置面が略垂直となるが、爪部１００により蚊取り線香２が保持されているため、蚊取り線香２の点火部位が容器本体１０の側部１２ｂ等に当接することを防止することができる。これにより、使用中に蚊取り線香２の火が消える等のトラブルを防止することができる。また、載置面が略水平となるように、蚊取り線香用容器１を使用する場合、爪部１００により蚊取り線香２が保持されているため、蚊取り線香２の位置がずれることを防止する。
【００２３】
なお、図３では、爪部１００の先端が蚊取り線香２の上に突出した使用形態を示しているが、載置部（不燃性マット１１）の載置面と爪部１００とにより蚊取り線香２を保持することができるのであれば、必ずしも爪部１００の先端が蚊取り線香２の上に突出するほど、爪部１００の高さを高くする必要は無い。
【００２４】
前記実施形態は、本発明の無数に存在する実施例の一部を開示したに過ぎず、目的、使用方法、仕様等の様々な要因を加味して適宜設計することが可能である。
【００２５】
例えば、前記実施形態では、爪部１００を貫通孔２０に挿通して、蚊取り線香２を保持する形態を示したが、本発明はこれに限らず、複数の爪部１００で、蚊取り線香２の中間部分、末端部等の一部を挟持することで保持する等、様々な形態に展開することが可能である。
【００２６】
また、例えば、前記実施形態では、蚊取り線香２を載置する載置部として不燃性マット１１を用いる形態を示したが、本発明はこれに限らず、蚊取り線香用容器１の底部１０ａを載置部として、蚊取り線香２を載置する等、様々な形態に展開することが可能である。
【符号の説明】
【００２７】
１  蚊取り線香用容器
１０  容器本体
１０ａ  底部
１０ｂ  側部
１００  爪部
１０１  吊下用部材
１１  不燃性マット（載置部）
１２  蓋体
２  蚊取り線香
２０  貫通孔
【図１】
2016077243.tif 000003
【図２】
2016077243.tif 000004
【図３】
2016077243.tif 000005